(57)【要約】【課題】  外出先等に持ち運び易いコンパクトな形状であり、何回でも充放電を繰り返して行えて、充電に時間が掛からず、様々な電気器具に取り付けてその器具に見合う電気エネルギを供給することができる携帯用充放電装置を提供することを目的とする。【解決手段】  電気エネルギを蓄える外装缶を有さない電気二重層コンデンサ部10Ａと、電圧電流制御部２とを、同一の筒状携帯用ケース３に内蔵した。電気二重層コンデンサ部10Ａは、複数の帯板状正電極板と、複数の帯板状負電極板とを、交互に積層しインダクタンスを軽減した直方体形状である。ケース３の先端部に、電力供給装置の電力供給部及び電気器具の電力取入部に接続分離自在な接続部３Ｂを有する。接続部３Ｂは、その接続面４に、充電用入力端子５及び放電用出力端子６を有し、接続部３Ｂが、電力供給部に接続されると充電が開始され、電力取入部に接続されると放電が開始されるように構成される。【選択図】  図４
2005287126.tif 000002
【特許請求の範囲】
【請求項１】
電気エネルギを蓄える外装缶を有さない電気二重層コンデンサ部（10Ａ）と、電圧電流制御部（２）とを、同一の筒状携帯用ケース（３）に内蔵した携帯用充放電装置であって、
該電気二重層コンデンサ部（10Ａ）は、複数の帯板状正電極板（８）と、複数の帯板状負電極板（９）とを、交互に積層しインダクタンスを軽減した直方体形状であることを特徴とする携帯用充放電装置。
【請求項２】
電気エネルギを蓄える複数の円筒型電気二重層コンデンサ部 (10Ｂ) と、電圧電流制御部（２）とを、同一の筒状携帯用ケース（３）に内蔵したことを特徴とする携帯用充放電装置。
【請求項３】
電気エネルギを蓄える電気化学コンデンサと、電圧電流制御部（２）とを、同一の筒状ケース（３）に内蔵したことを特徴とする携帯用充放電装置。
【請求項４】
上記ケース（３）の先端部に、電力供給装置（12）の電力供給部（12ａ）及び電気器具（20）の電力取入部（20ａ）に接続分離自在な接続部（３Ｂ）を有し、
該接続部（３Ｂ）は、その接続面（４）に、充電用入力端子（５）及び放電用出力端子（６）を有し、
該接続部（３Ｂ）が、上記電力供給部（12ａ）に接続されると充電が開始され、上記電力取入部（20ａ）に接続されると放電が開始されるように構成された請求項１，２又は３記載の携帯用充放電装置。
【請求項５】
上記ケース（３）の外面に、充放電のＯＮ−ＯＦＦを切り換えるためのスイッチ（14）を、備えた請求項１，２，３又は４記載の携帯用充放電装置。
【請求項６】
上記ケース（３）が楕円筒状であり、かつ、上記接続部（３Ｂ）の横断面の形状が、楕円形である請求項１，２，３，４又は５記載の携帯用充放電装置。
【請求項７】
上記電力供給装置（12）が、コンビニエンスストア，ホテル，駅，公共場所に設置される自動販売可能な定置式ボックス型であり、
該電力供給装置（12）の電力供給部（12ａ）に、該電力供給部（12ａ）と上記接続部（３Ｂ）の充電用入力端子（５）との接続部で発生する熱を冷却するファン（17）を取り付けた請求項４，５又は６記載の携帯用充放電装置。
【発明の詳細な説明】
【技術分野】
【０００１】
本発明は、携帯用充放電装置に関するものである。
【背景技術】
【０００２】
従来、以下の（イ）〜（ホ）のような携帯電話器等の電気器具の充放電装置が知られており、各々に問題があった。即ち、
（イ）携帯電話器の充電器としては、商用電源に充電器を接続しその充電器に携帯電話器のバッテリを接続して長時間掛けて充電していた。そのため、充電器設置場所に携帯電話器が拘束されていた。
（ロ）電気器具に制御器を通じて乾電池を接続して充電するものはあったが、乾電池が消耗すると更に取り替えることが必要でコスト高になっていた。
（ハ）予備の携帯用バッテリを用意する例もあるが高価であり、サイクルの早い携帯電話器の予備電池の需要は少ない。
（ニ）電気二重層コンデンサを二次電池に変えて電源とし複数のコードレス機器を共通の充電器で充電するものも知られている（例えば、特許文献１参照）。しかし、移動携行用に適さない。
（ホ）コードレス機器の電気二重層コンデンサと接続される充電用直流電源と、その直流電源と電気二重層コンデンサ間に並列に接続される充電用コンデンサを直流電源で充電しその充電された充電用コンデンサでもって電気二重層コンデンサに充電する技術は知られている（例えば上記特許文献１の請求項１参照）。しかし、充電用コンデンサに充電された電気エネルギを電気二重層コンデンサに移し変えるのみで急速バッテリ充電には適さない。
【特許文献１】特公平８−３１３３９号公報
【発明の開示】
【発明が解決しようとする課題】
【０００３】
このように従来の上記（イ）〜（ホ）のいずれの充（放）電器も、携帯する電気器具用としては適切なものが知られていなかった。特に、従来の携帯電話器用充電器（上記（イ）参照）は、商用電源をバッテリに見合う直流電圧に変換して、充電器と携帯電話器を接続して、一定時間を掛けて充電するため、バッテリが満充電になるまで携帯電話器の使用は制限されるという大きな欠点があった。
また、例えば、外出先で携帯電話器のバッテリの電力が無くなったとき、迅速容易にその携帯電話器に充電できる好適な充放電システム（装置・設備）が無く、不便であった。（なお、一部に、60分〜90分を掛けて充電する設置式充放電器は用いられている。）
【０００４】
そこで、本発明は、外出先等に持ち運び易いコンパクトな形状であり、何回でも充放電を繰り返して行えて、充電に時間が掛からず、様々な電気器具にワンタッチで取り付けてその器具に見合う電気エネルギを供給することができる携帯用充放電装置を提供することを目的とする。
さらに、外出先でも容易に充電可能な携帯用充放電装置を提供することを他の目的とする。
【課題を解決するための手段】
【０００５】
上記の目的を達成するために、本発明に係る携帯用充放電装置は、電気エネルギを蓄える外装缶を有さない電気二重層コンデンサ部と、電圧電流制御部とを、同一の筒状携帯用ケースに内蔵したものであって；該電気二重層コンデンサ部は、複数の帯板状正電極板と、複数の帯板状負電極板とを、交互に積層しインダクタンスを軽減した直方体形状である。
【０００６】
また、本発明に係る携帯用充放電装置は、電気エネルギを蓄える複数の円筒型電気二重層コンデンサ部と、電圧電流制御部とを、同一の筒状携帯用ケースに内蔵した。
【０００７】
また、本発明に係る携帯用充放電装置は、電気エネルギを蓄える電気化学コンデンサと、電圧電流制御部とを、同一の筒状ケースに内蔵した。
【０００８】
また、上記ケースの先端部に、電力供給装置の電力供給部及び電気器具の電力取入部に接続分離自在な接続部を有し；該接続部は、その接続面に、充電用入力端子及び放電用出力端子を有し；該接続部が、上記電力供給部に接続されると充電が開始され、上記電力取入部に接続されると放電が開始されるように構成されている。
【０００９】
また、上記ケースの外面に、充放電のＯＮ−ＯＦＦを切り換えるためのスイッチを、備えた。
また、上記ケースが楕円筒状であり、かつ、上記接続部の横断面の形状が、楕円形である。
【００１０】
また、上記電力供給装置が、コンビニエンスストア，ホテル，駅，公共場所に設置される自動販売可能な定置式ボックス型であり；該電力供給装置の電力供給部に、該電力供給部と上記接続部の充電用入力端子との接続部で発生する熱を冷却するファンを取り付けた。
【発明の効果】
【００１１】
本発明は、次のような著大な効果を奏する。
ケース内に無駄なスペースを作らずに、電気二重層コンデンサ部と電圧電流制御部をコンパクトに内蔵することができる。
よって、充放電装置の軽量化と構造の簡素化を図り得て、コンパクトな大きさにすることができ、カバンやバッグに入れて携帯して外出先等に持ち運び易い。そして、出先で必要なときに、いつでも電気器具に電気エネルギを供給することができる。
また、複数の帯板状正電極板と、複数の帯板状負電極板とを、交互に積層した直方体形状としたので、大電流充電の際、インダクタンスによる逆起電力の影響を軽減することができる。さらに、充放電を何回繰り返しても劣化が少ないので、長期間使用することができる。
また、電力供給装置及び電気器具への接続が容易であり、かつ、充電作業、放電作業を、迅速に行い得る。
そして、１つの充放電装置を携帯していれば、様々な電気器具に接続して使用することができ、便利である。
【００１２】
また、電力供給装置を、コンビニエンスストア，ホテル，駅，公共場所に設置して自動販売可能とすることによって、様々な場所で、一般の人が利用しやすく、外出先で容易に充電することができる。また、コイン投入によって充放電装置への電気エネルギの供給が開始され、自動で使い易い。
【発明を実施するための最良の形態】
【００１３】
以下、実施の形態を示す図面に基づき、本発明を詳説する。
図１，図２，図３は本発明に係る携帯用充放電装置の実施の一形態を示すもので、図４はその斜視図であり、充放電装置１は、電気エネルギを蓄える裸状の────外装缶を有さない────電気二重層コンデンサ部10Ａと、この電気二重層コンデンサ部10Ａからの出力電圧の変動を平準化して出力電圧として外部へ出力するための電圧電流制御部２とを、同一の携帯用ケース３に（一体状に）内蔵される。
また、図示省略するが、制御回路や、危険防止回路も、同一のケース３に（一体状に）内蔵され、夫々の部品は、配線や回路等にて接続される。なお、電圧電流制御部２としては、入力した電圧・電流を一定にすると共に定電圧・定電流を出力するためのものであって、例えば、ＤＣ−ＤＣコンバータ及びツェナーダイオード（ＩＣ）等から成る。
【００１４】
ケース３は、細長楕円筒状の本体部３Ａと、その本体部３Ａの先端側に形成された横断面楕円形短筒状の接続部３Ｂと、から成る。
横断面に於て、接続部３Ｂの径は、本体部３Ａの径よりも小さく設定される。
また、ケース３は、側方の方向に２分割構造として、合わせ目13にて合体化して、中空収納部を形成する。
【００１５】
上記裸状の電気二重層コンデンサ部10Ａは、複数の帯板状正電極板８…と、複数の帯板状負電極板９…とを、絶縁紙11…を間に挟んで交互に積層しインダクタンスを軽減した直方体形状である。なお、図２では理解し易いように正負極板８，９及び絶縁紙11の相互間に間隙を大きく描いているが、実際は、この間隙が生じないように積層されている。
正電極板８…，負電極板９…，絶縁紙11…は、ケース３の本体部３Ａの楕円柱形中空部の横長方向に平行に、かつケース３の前後方向へ平行に、配設されている。そして、全ての帯板状正電極板８…の側方辺部に（共通に）、１枚の接続板７が接続され、かつ、全ての帯板状負電極板９…の側方辺部に（共通に）、別の１枚の接続板７が接続される。
そして、ケース３の本体部３Ａ内に於て、電圧電流制御部２は、電気二重層コンデンサ部10Ａの先端側に配設され、かつ、正・負の接続板７，７が、電気的に接続される。
【００１６】
また、上記接続部３Ｂは、その前面の楕円形接続面４に、一対の充電用入力端子５，５と、該端子５，５の間に配設される一対の放電用出力端子６，６と、を有しており、この接続部３Ｂは、（後述する）電力供給装置12の電力供給部12ａ及び電気器具20の電力取入部20ａに、接続分離自在である。
図例では、この入力端子５，５と出力端子６，６は、（後述の）棒状端子が挿嵌取外自在となるように、孔形状に形成されている。
また、ケース３の本体部３Ａの外面に、充放電の電気回路をＯＮ−ＯＦＦ切換するためのスイッチ14が、備えられる。
また、図示省略するが、接続部３Ｂの接続面４に、突出状スイッチを設け、接続部３Ｂが、（後述の）電気器具20に接続されるとスイッチがＯＮとなって電気エネルギの供給が開始され、また、（後述の）電力供給部12ａに接続されると充電が開始されるように、構成される。
【００１７】
次に、図５，図６に示す充放電装置１は、ケース３内に内蔵され電気エネルギを蓄えるコンデンサ10が、図１〜図３に示すものと相違する。
即ち、複数の（図例では一対）の円筒型電気二重層コンデンサ部10Ｂ…が、ケース３の楕円柱形中空部に並べられ、かつケース３の前後方向に平行に配設されている。このコンデンサ部10Ｂは、従来より使用されているもので、正極板と負極板とが渦巻状に巻き取られ円筒状外装缶内に収められたものである。
そして、電気二重層コンデンサ部10Ｂ，10Ｂの正極端子31，31及び負極端子32，32が並列回路で接続されて、夫々電圧電流制御部２に接続される。
あるいは、図示省略するが、（図１〜図６に示すものと）同様のケース３内に、電気化学コンデンサを配設してもよい。その他の構成は図１〜図６で既述したものと同様である。
【００１８】
図７は、充放電装置１への充電を行うための電力供給装置12を示し、商用電源に接続される差込プラグを有するコード部材12ｂと、コード部材12ｂが連結されるボックス体12ｃと、ボックス体12ｃの上面に具備され充放電装置１の接続部３Ｂが接続分離自在となる電力供給部12ａと、を備える。
電力供給部12ａは、ケース３の接続部３Ｂに対応して形成され嵌合分離自在とする楕円形浅凹部に、一対の出力端子15，15が、接続部３Ｂの入力端子５，５に対応するように、（上方）突出状に配設されたものである。
【００１９】
図８は、自動販売可能な定置式ボックス型の電力供給装置12で、コンビニエンスストア，ホテル，駅，公共場所に設置されるものであり、コイン投入孔36を有し、コイン投入孔36へコイン35が投入されたことを検知するセンサが設けられる。
そして、このセンサの検知作動によって、接続状態の充放電装置１に電気エネルギを供給するように構成される。
この電力供給装置12の上面に備えられる電力供給部12ａは、上面から上方突出し折曲後水平状となる長棒状出力端子15，15を、有する。
【００２０】
また、電力供給装置12の上面に、この出力端子15，15の先端差込部と接続部３Ｂの入力端子５との接続部で発生する熱を冷却するファン17が、取り付けられる。
具体的には、図９，図10に示すように、ファン17は、電力供給装置12の上面に配設され出力端子15，15の水平棒部によって中空部を貫通される中空状箱体17ｃと、箱体17ｃ上部に備えられ中空部に送風する回転羽根17ａと、を備え、箱体17ｃの側壁下方には、中空部の空気を外部へ出すための換気孔部17ｂ…が、複数形成される。
回転羽根17ａは、電動モータにより回転可能である。
出力端子15，15の先端（差込み）側は、箱体17ｃの側壁から外部へ突出している。
また、箱体17ｃの中空部に、出力端子15，15を効率よく冷却するための複数枚のフィンを配設したり、出力端子15，15の基端側の剥き出し部に、二点鎖線で示すような接触防止カバー部材を、包囲状に配設してもよい。
【００２１】
さらに、充放電装置１の接続部３Ｂは、電気器具20の電力取入部20ａに接続分離自在である。この電力取入部20ａは、一対の入力端子16，16が、接続部３Ｂの孔状出力端子６，６に対応するように、突出状に配設されたものである。
電気器具20として、例えば、防犯用ブザー23（図11参照）、懐中電灯24（図12参照）、電動ヒゲソリ25（図13参照）がある。
また、図14に於ては、電力供給用の接続コード部材22を用いて、ノートパソコンＰ等の電気器具20に電気エネルギを供給する。
この接続コード部材22は、一端側に、ノートパソコンＰ等の電気エネルギ取入部に接続分離自在なアダプタを具備し、他端側に、充放電装置１の接続部３Ｂに接続分離自在な入力アダプタ部22ａを、具備する。この入力アダプタ部22ａは、上記防犯用ブザー23等の電力取入部20ａと同様に、一対の突出状入力端子を有する。
【００２２】
図15は、タバコに火をつけるための電気ライター21である。
また、この電気ライター21及び（後述の）接続コード部材29を介して、充放電装置１から別の電気器具20（例えば携帯電話器Ｔ（図16参照））に電気エネルギが供給されるように構成されてもよい。
即ち、接続コード部材29は、その一端側に、別の電気器具20の電気エネルギ取入部に接続分離自在なアダプタを具備すると共に、その他端側に、電気ライター21の着火部に接続分離自在であり電気エネルギを取入可能な入力アダプタ部29ａを、具備する。
この入力アダプタ部29ａも、入力アダプタ部22ａと同様に、一対の突出状入力端子を有する。
【００２３】
また、図17に示すように、電動玩具26（自動車模型，ロボット，ぬいぐるみ等）の内部に、充放電装置１を配設・取出自在とするスペースを形成し、そのスペース内に、充放電装置１の接続部３Ｂに接続分離自在な電力取入部20ａを設け、電気エネルギを供給可能とするように構成する。
【００２４】
また、図18に於て、28は、電気器具20（例えば携帯電話器Ｔ）に接続分離自在な電気エネルギ供給用の充電用アダプタであり、この充電用アダプタ28は、充放電装置１の接続部３Ｂの出力端子６，６に接続分離自在な一対の入力端子16，16を有する。
このアダプタ28は、その一端側に、携帯電話器Ｔの電気エネルギ入力部に接続分離自在な差込接続部を具備し、他端側に、充放電装置１の接続部３Ｂに接続分離自在な（楕円状）電力取入部を具備し、この電力取入部に、突出状入力端子16，16を、有する。
なお、以上説明した図１〜図18のいずれの実施の形態に於ても、ケース３の形状は設計変更自在であり、本体部３Ａを、細長円筒形状や細長多角筒形状にしたり、また、接続部３Ｂを、横断面円形や多角形状にしてもよい。
【００２５】
次に、充放電装置１の使用方法（作用）について説明する。
図７に於て、電力供給装置12のコード部材12ｂのプラグを、商用電源に接続する。
そして、充放電装置１のスイッチ14を、充電可能な（電気エネルギの供給を受ける）状態に切り換え、電力供給装置12の電力供給部12ａに、充放電装置１の接続部３Ｂを接続する。
すると、充放電装置１への充電が開始し、充電は急速に（30秒〜２分にて）行われる。  充放電装置１に内蔵されるコンデンサ10が、（例えば図１〜図３で既述の）電気二重層コンデンサ部10Ａの場合、インダクタンスによって生ずる逆起電力の影響を軽減するので、大電流の充電が可能である。また、充電電流が少ないときには、（図５，図６にて既述の）渦巻型電気二重層コンデンサ部10Ｂを内蔵した充放電装置１を使用してもよい。
【００２６】
また、図８に示す電力供給装置12に於て、出力端子15，15を充放電装置１の接続部３Ｂ（の入力端子５，５）に差し込んで接続し、コイン投入孔36へコイン35を投入する。すると、センサの検知作動によって、図７で説明したのと同様の充電が開始する。
電力供給装置12から大電流が供給されるため、出力端子15，15と、接続部３Ｂの入力端子５，５の接触抵抗により、熱が発生するが、ファン17の回転羽根17ａの回転による送風で、冷却される。
【００２７】
充電が完了したら、充放電装置１を電力供給装置12から分離し、スイッチ14を（電気器具20等へ）電気エネルギ供給可能な状態に切り換える。
そして、図11〜図17に示すように、様々な電気器具20の電力取入部20ａの入力端子16，16を、充放電装置１の接続部３Ｂの出力端子６，６に差し込むと、夫々の器具20に見合う負荷に対応する電気エネルギが供給され、電気器具20が使用可能となる。
また、図18に於て、充電用アダプタ28を電気器具20（携帯電話器Ｔ）に接続すると共に、アダプタ28の入力端子16，16に充放電装置１の接続部３Ｂの出力端子６，６に差し込むと、携帯電話器Ｔへ電気エネルギが供給される。
【００２８】
以上のように、本発明に係る携帯用充放電装置は、電気エネルギを蓄える外装缶を有さない電気二重層コンデンサ部10Ａと、電圧電流制御部２とを、同一の筒状携帯用ケース３に内蔵したものであって、電気二重層コンデンサ部10Ａは、複数の帯板状正電極板８と、複数の帯板状負電極板９とを、交互に積層しインダクタンスを軽減した直方体形状であるので、ケース３内に無駄なスペースを作らずに、電気二重層コンデンサ部10Ａと電圧電流制御部２をコンパクトに内蔵することができる。よって、充放電装置の軽量化と構造の簡素化を図り得て、コンパクトな大きさにすることができ、カバンやバッグに入れて携帯して外出先等に持ち運び易い。そして、出先で必要なときに、いつでも電気器具に電気エネルギを供給することができる。
また、大電流充電の際に、インダクタンスによる逆起電力の影響を軽減することができる。さらに、充放電を何回繰り返しても劣化が少ないので、長期間使用することができる。
【００２９】
また、電気エネルギを蓄える複数の円筒型電気二重層コンデンサ部10Ｂと、電圧電流制御部２とを、同一の筒状携帯用ケース３に内蔵したので、ケース３内に無駄なスペースを作らずに、電気二重層コンデンサ部10Ａと電圧電流制御部２をコンパクトに内蔵することができる。よって、充放電装置の軽量化と構造の簡素化を図り得て、コンパクトな大きさにすることができ、カバンやバッグに入れて携帯して外出先等に持ち運び易い。そして、出先で必要なときに、いつでも電気器具に電気エネルギを供給できる。
【００３０】
また、電気エネルギを蓄える電気化学コンデンサと、電圧電流制御部２とを、同一の筒状ケース３に内蔵したので、ケース３内に無駄なスペースを作らずに、電気二重層コンデンサ部10Ａと電圧電流制御部２をコンパクトに内蔵することができる。よって、充放電装置の軽量化と構造の簡素化を図り得て、コンパクトな大きさにすることができ、カバンやバッグに入れて携帯して外出先等に持ち運び易い。そして、出先で必要なときに、いつでも電気器具に電気エネルギを供給できる。
【００３１】
また、ケース３の先端部に、電力供給装置12の電力供給部12ａ及び電気器具20の電力取入部20ａに接続分離自在な接続部３Ｂを有し、接続部３Ｂは、その接続面４に、充電用入力端子５及び放電用出力端子６を有し、接続部３Ｂが、電力供給部12ａに接続されると充電が開始され、電力取入部20ａに接続されると放電が開始されるように構成されるので、電力供給装置12及び電気器具20への接続が容易であり、かつ、充電・放電できる状態に、迅速にすることができる。
そして、１つの充放電装置を携帯していれば、様々な電気器具20に接続して使用することができ、便利である。
【００３２】
また、ケース３の外面に、充放電のＯＮ−ＯＦＦを切り換えるためのスイッチ14を、備えたので、電気エネルギを充電可能な状態と、放電可能な状態とに容易に切り換えることができ、使用が一層楽になる。
【００３３】
また、ケース３が楕円筒状であり、かつ、接続部３Ｂの横断面の形状が、楕円形であるので、接続部３Ｂを、電力供給装置12の電力供給部12ａ及び電気器具20の電力取入部20ａに接続する際に、接続の向きを間違えることがなく、ワンタッチで接続可能である。
かつ、ケース３内に、コンデンサをコンパクトに内蔵することができる。
【００３４】
また、電力供給装置12が、コンビニエンスストア，ホテル，駅，公共場所に設置される自動販売可能な定置式ボックス型であり、電力供給装置12の電力供給部12ａに、電力供給部12ａと接続部３Ｂの充電用入力端子５との接続部で発生する熱を冷却するファン17を取り付けたので、様々な場所で、一般の人が利用しやすく、また、コイン投入によって充放電装置への電気エネルギの供給が開始され、自動で使い易い。
また、充電中に発生する熱が冷却されるので、装置の故障を防ぐことができると共に、利用者も火傷等を負うことがなく安全である。
【図面の簡単な説明】
【００３５】
【図１】本発明に係る携帯用充放電装置の実施の一形態を示す説明用斜視図である。
【図２】説明用要部斜視図である。
【図３】説明用断面正面図である。
【図４】斜視図である。
【図５】本発明に係る携帯用充放電装置の他の実施の形態を示す説明用斜視図である。
【図６】説明用断面正面図である。
【図７】電力供給装置の一例を示す斜視図である。
【図８】電力供給装置の他の例を示す斜視図である。
【図９】要部斜視図である。
【図１０】説明用一部断面要部側面図である。
【図１１】第１の使用状態を示す説明用斜視図である。
【図１２】第２の使用状態を示す説明用斜視図である。
【図１３】第３の使用状態を示す説明用斜視図である。
【図１４】第４の使用状態を示す説明用斜視図である。
【図１５】第５の使用状態を示す説明用斜視図である。
【図１６】第６の使用状態を示す説明用斜視図である。
【図１７】第７の使用状態を示す説明用斜視図である。
【図１８】第８の使用状態を示す説明用斜視図である。
【符号の説明】
【００３６】
１  充放電装置
２  電圧電流制御部
３  ケース
３Ｂ  接続部
４  接続面
５  入力端子
６  出力端子
８  正電極板
９  負電極板
10  コンデンサ
10Ａ，10Ｂ  電気二重層コンデンサ部
12  電力供給装置
12ａ  電力供給部
14  スイッチ
17  ファン
20  電気器具
20ａ  電力取入部
【図１】
2005287126.tif 000003
【図２】
2005287126.tif 000004
【図３】
2005287126.tif 000005
【図４】
2005287126.tif 000006
【図５】
2005287126.tif 000007
【図６】
2005287126.tif 000008
【図７】
2005287126.tif 000009
【図８】
2005287126.tif 000010
【図９】
2005287126.tif 000011
【図１０】
2005287126.tif 000012
【図１１】
2005287126.tif 000013
【図１２】
2005287126.tif 000014
【図１３】
2005287126.tif 000015
【図１４】
2005287126.tif 000016
【図１５】
2005287126.tif 000017
【図１６】
2005287126.tif 000018
【図１７】
2005287126.tif 000019
【図１８】
2005287126.tif 000020